(57)【要約】【課題】  視聴者の属性に適合する番組や情報を選択して、視聴者に閲覧させることが可能なプッシュ型の番組視聴システム、受信装置及び番組視聴方法を提供することを目的とする。【解決手段】  受信装置の制御部が、読取装置を介して記憶媒体に格納された視聴者の属性コードを読み取る情報読取手段と、受信番組テーブルに格納された放送番組情報に付加された対象者コードと情報読取手段によって読み取った属性コードとをマッチングするマッチング手段と、マッチング手段によるマッチングで、対象者コードと属性コードとが適合すると判定された場合に、表示装置を介して放送番組情報を出力する表示装置制御手段とを備える構成とした。【選択図】      図１
2007006297.tif 000002
【特許請求の範囲】
【請求項１】
視聴対象者コードが付加された放送番組情報を受信する受信装置と、
前記受信装置で受信した放送番組情報を出力して視聴者に閲覧させる表示装置と、
視聴者に用いられる記憶媒体に格納された当該視聴者の属性コードを読み取る読取装置と
を備えた番組視聴システムであって、
前記受信装置は、
受信した前記放送番組情報を格納する受信番組テーブルを有するテーブル格納部と、
制御部と
を備え、
前記制御部は、
前記読取装置を介して前記記憶媒体に格納された視聴者の属性コードを読み取る情報読取手段と、
前記テーブル格納部に格納された前記受信番組テーブルから前記放送番組情報を読み出し、その放送番組情報に付加された前記視聴対象者コードと前記情報読取手段によって読み取られた属性コードとをマッチングするマッチング手段と、
前記マッチング手段によるマッチングで、前記視聴対象者コードと前記属性コードとが適合すると判定された場合に、当該放送番組情報を当該視聴者に閲覧させる前記表示装置に出力する表示装置制御手段と
を備えることを特徴とする番組視聴システム。
【請求項２】
視聴対象者コードが付加された放送番組情報を受信する受信装置と、
前記受信装置で受信した放送番組情報を出力して視聴者に閲覧させる表示装置と、
視聴者に用いられる記憶媒体に格納された当該視聴者の属性コードを読み取る読取装置と
を備えた番組視聴システムであって、
前記受信装置は、
制御部
を備え、
前記制御部は、
前記視聴対象者コードが付加された放送番組情報を受信する放送受信手段と、
前記読取装置を介して前記記憶媒体に格納された視聴者の属性コードを読み取る情報読取手段と、
前記放送受信手段で受信した前記放送番組情報に付加された前記視聴対象者コードと前記情報読取手段によって読み取られた属性コードとをマッチングするマッチング手段と、
前記マッチング手段によるマッチングで、前記視聴対象者コードと前記属性コードとが適合すると判定された場合に、当該放送番組情報を当該視聴者に閲覧させる前記表示装置に出力する表示装置制御手段と
を備えることを特徴とする番組視聴システム。
【請求項３】
前記受信装置は、
前記記憶媒体に視聴者の属性コードを書き込む書込装置をさらに備え、
前記制御部は、
視聴者の属性コードを付加又は変更する旨の通知を受信した場合、当該通知に基づいて、前記書込装置を介して前記記憶媒体の属性コードを付加又は変更する処理を行うこと
を特徴とする請求項１又は請求項２に記載の番組視聴システム。
【請求項４】
放送番組情報を出力して視聴者に閲覧させる表示装置及び
視聴者に用いられる記憶媒体に格納された当該視聴者の属性コードを読み取る読取装置に接続された受信装置であって、
前記受信装置は、
受信した前記放送番組情報を格納する受信番組テーブルを有するテーブル格納部と、
制御部と
を備え、
前記制御部は、
前記読取装置を介して前記記憶媒体に格納された視聴者の属性コードを読み取る情報読取手段と、
前記テーブル格納部に格納された前記受信番組テーブルから前記放送番組情報を読み出し、その放送番組情報に付加された前記視聴対象者コードと前記情報読取手段によって読み取られた属性コードとをマッチングするマッチング手段と、
前記マッチング手段によるマッチングで、前記視聴対象者コードと前記属性コードとが適合すると判定された場合に、当該放送番組情報を当該視聴者に閲覧させる前記表示装置に出力する表示装置制御手段と
を備えることを特徴とする受信装置。
【請求項５】
放送番組情報を出力して視聴者に閲覧させる表示装置及び
視聴者に用いられる記憶媒体に格納された当該視聴者の属性コードを読み取る読取装置に接続された受信装置であって、
前記受信装置は、
制御部
を備え、
前記制御部は、
前記視聴対象者コードが付加された放送番組情報を受信する放送受信手段と、
前記読取装置を介して前記記憶媒体に格納された視聴者の属性コードを読み取る情報読取手段と、
前記放送受信手段で受信した前記放送番組情報に付加された前記視聴対象者コードと前記情報読取手段によって読み取られた属性コードとをマッチングするマッチング手段と、
前記マッチング手段によるマッチングで、前記視聴対象者コードと前記属性コードとが適合すると判定された場合に、当該放送番組情報を当該視聴者に閲覧させる前記表示装置に出力する表示装置制御手段と
を備えることを特徴とする受信装置。
【請求項６】
視聴対象者コードが付加された放送番組情報を受信する受信装置と、
前記受信装置で受信した放送番組情報を出力して視聴者に閲覧させる表示装置と、
視聴者に用いられる記憶媒体に格納された当該視聴者の属性コードを読み取る読取装置と
を備えた番組視聴システムによる番組視聴方法であって、
前記受信装置は、
受信した前記放送番組情報を格納する受信番組テーブルを有するテーブル格納部と、
制御部と
を備え、
前記制御部は、
前記読取装置を介して前記記憶媒体に格納された視聴者の属性コードを読み取る情報読取ステップと、
前記テーブル格納部に格納された前記受信番組テーブルから前記放送番組情報を読み出し、その放送番組情報に付加された前記視聴対象者コードと前記情報読取手段によって読み取られた属性コードとをマッチングするマッチングステップと、
前記マッチング手段によるマッチングで、前記視聴対象者コードと前記属性コードとが適合すると判定された場合に、当該放送番組情報を当該視聴者に閲覧させる前記表示装置に出力する表示装置制御ステップと
を実行することを特徴とする番組視聴方法。
【請求項７】
視聴対象者コードが付加された放送番組情報を受信する受信装置と、
前記受信装置で受信した放送番組情報を出力して視聴者に閲覧させる表示装置と、
視聴者に用いられる記憶媒体に格納された当該視聴者の属性コードを読み取る読取装置と
を備えた番組視聴システムによる番組視聴方法であって、
前記受信装置は、
制御部
を備え、
前記制御部は、
前記視聴対象者コードが付加された放送番組情報を受信する放送受信ステップと、
前記読取装置を介して前記記憶媒体に格納された視聴者の属性コードを読み取る情報読取ステップと、
前記放送受信手段で受信した前記放送番組情報に付加された前記視聴対象者コードと前記情報読取手段によって読み取られた属性コードとをマッチングするマッチングステップと、
前記マッチング手段によるマッチングで、前記視聴対象者コードと前記属性コードとが適合すると判定された場合に、当該放送番組情報を当該視聴者に閲覧させる前記表示装置に出力する表示装置制御ステップと
を実行することを特徴とする番組視聴方法。
【発明の詳細な説明】
【技術分野】
【０００１】
本発明は、データ放送番組を個人向けに対応させ、視聴者属性に適合する番組を表示させる番組視聴システム、受信装置及び番組視聴方法に関する。
【背景技術】
【０００２】
近年、放送番組を選択的に配信するサービスが普及している。例えば、プル型システムのサービスには、インターネットによる番組の配信などがある。また、プッシュ型システムのサービスには、テレビによる番組の放送などがある。
【０００３】
また、放送番組を送信する放送局が、放送番組に、広告番組と配信対象者を指定するための属性情報とを付加した放送信号を送信し、受信装置が、受信した放送信号から属性情報を抽出して、この属性情報を予め登録された登録属性情報と比較し、受信装置に登録されている属性情報に対応する属性情報の受信が検出された場合に、属性情報と共に受信した広告番組を選択的に再生する手法が開示されている（例えば、特許文献１参照）。
【０００４】
さらに、放送局又は放送局から委託されたセンタに設置されたＣＭ配信サーバが、予めＣＭ配信サーバ内に記憶された各ユーザの趣味・嗜好などの属性に基づいて、ユーザ毎に異なる内容のＣＭを配信する手法が開示されている（例えば、特許文献２参照）。
【特許文献１】特開２００２−２８０９８２号公報（段落００１８〜００３８、図１〜４）
【特許文献２】特開２００２−１７１５１１号公報（段落００１４〜００３１、図１）
【発明の開示】
【発明が解決しようとする課題】
【０００５】
しかしながら、例えば、視聴者がプル型システムの一例であるインターネットを利用する場合、視聴者は、所望の放送番組を取得するための自己操作をする必要がある。また、インターネット上には、多くの配信元と多様な番組形態が存在し、視聴者がそれらの配信元や番組を検索して、所望の番組情報を取得するためには多くの時間、労力がかかる。
【０００６】
また、例えば、視聴者がプッシュ型システムの一例であるテレビを利用する場合、テレビは、視聴者に対して番組選択の負担を比較的掛けずに済むという点において、インターネットより優位である。しかし、現在のテレビが、インターネットのように、視聴者に対して視聴者属性に配慮したきめ細かい番組配信を行うことは困難である。
【０００７】
前記した特許文献１に開示されている手法によれば、放送局が不特定多数の視聴者を対象とする放送を行う場合であっても、宣伝対象の視聴者を正確に特定して広告の宣伝効果を高めることが可能である。しかし、受信装置に視聴者の個人情報が登録されるために、例えば、家庭で番組を視聴する場合などに、１台の受信装置を用いて複数の視聴者が番組を視聴する場合には適さない。
【０００８】
また、前記した特許文献２に開示されている手法によれば、各ユーザは、自分の趣味・嗜好などの顧客属性に適合するＣＭ情報又は自分の希望するＣＭについてのジャンルや広告主などの希望情報に適合するＣＭ情報を、ＣＭ配信サーバから必要なタイミングで受信して番組の途中に挿入させることが可能である。しかし、ＣＭ配信サーバに視聴者の個人情報が登録されるために、例えば、家庭で番組を視聴する場合などに、１台の受信装置を用いて複数の視聴者が番組を視聴する場合には適さない。
【０００９】
本発明は、以上のような問題点に鑑みてなされたものであり、視聴者の属性に適合する番組や情報を選択して、視聴者に閲覧させることが可能なプッシュ型の番組視聴システム、受信装置及び番組視聴方法を提供することを目的とする。
【課題を解決するための手段】
【００１０】
本発明は、前記目的を達成するために創案されたものであり、本発明の番組視聴システムは、視聴対象者コードが付加された放送番組情報を受信する受信装置と、前記受信装置で受信した放送番組情報を出力して視聴者に閲覧させる表示装置と、視聴者に用いられる記憶媒体に格納された当該視聴者の属性コードを読み取る読取装置とを備え、前記受信装置が、受信した前記放送番組情報を格納する受信番組テーブルを有するテーブル格納部と、制御部とを備え、前記制御部が、前記読取装置を介して前記記憶媒体に格納された視聴者の属性コードを読み取る情報読取手段と、前記テーブル格納部に格納された前記受信番組テーブルから前記放送番組情報を読み出し、その放送番組情報に付加された前記視聴対象者コードと前記情報読取手段によって読み取られた属性コードとをマッチングするマッチング手段と、前記マッチング手段によるマッチングで、前記視聴対象者コードと前記属性コードとが適合すると判定された場合に、当該放送番組情報を当該視聴者に閲覧させる前記表示装置に出力する表示装置制御手段とを備える構成とした。
【００１１】
かかる構成によれば、番組視聴システムは、受信装置が、受信した放送番組情報に付加された対象コードと、記憶媒体から読み取った視聴者の属性コードとをマッチングすることにより、視聴者の属性に適合する番組や情報を選択して、視聴者に閲覧させることが可能となる。
【発明の効果】
【００１２】
本発明によれば、視聴者の属性に適合する番組や情報を選択して、視聴者に閲覧させることが可能なプッシュ型の番組視聴システム、受信装置及び番組視聴方法を提供することが可能である。
【発明を実施するための最良の形態】
【００１３】
以下、本発明を実施するための最良の形態について図面を参照して説明する。
【００１４】
まず、図１を参照して、本発明の実施形態に係る視聴者限定システムの全体構成について説明する。
【００１５】
図１に示すように、視聴者限定システム１は、事業主側システム１０と、自治体側システム２０と、放送局側システム３０と、住民側システム（番組視聴システム）４０とを備える。事業主端末１１と、放送番組作成サーバ２１とは、インターネット網などのネットワークを介して接続されている。また、放送番組作成サーバ２１と放送局サーバ３１とも、インターネット網などのネットワークを介して接続されている。以下、各システムの機能について説明する。
【００１６】
事業主側システム１０は、事業主端末１１を含んで構成される。
事業主端末１１は、事業主によって作成された視聴者に宣伝する番組（コンテンツ）情報の入力を受け付ける。事業主端末１１は、入力された番組情報に対象者情報（対象地域など）を付加し、ネットワークを介して自治体側システム２０に送信する。
【００１７】
自治体側システム２０は、放送番組作成サーバ２１と、放送番組作成端末２２と、住民カード編集サーバ２３と、住民カード編集端末２４と、住民カード読取書込装置２５とを含んで構成される。放送番組作成端末２２は、放送番組作成サーバ２１と接続されている。また、住民カード編集端末２４は、住民カード編集サーバ２３及び住民カード読取書込装置２５と接続されている。
【００１８】
放送番組作成サーバ２１は、事業主端末１１から送信された番組情報を、放送番組作成サーバ２１内の放送番組テーブル２１２４（図３参照）に保存する。また、番組情報を放送番組テーブル２１２４（図３参照）から読み込む。さらに、放送番組テーブル２１２４（図３参照）から読み込んだ番組情報に付加された対象者情報を対象者コードにコード変換し、放送番組情報６０（図１０参照）として、放送局側システム３０に送信する。対象者コード（視聴対象者コード）とは、視聴対象者をコード化したものであり、ここでは、視聴対象者の住所コード、性別コード及び年齢コードのことである。
【００１９】
放送番組作成端末２２は、放送番組作成サーバ２１に接続して、放送番組作成サーバ２１上で、番組情報を放送番組テーブル２１２４（図３参照）から読み込む。また、放送番組作成者は、放送番組作成端末２２の読み込んだ番組情報が放送してもよい情報か否かを判定する。放送番組作成端末２２は、読み込んだ番組情報が放送番組作成者によって放送すると判定された場合、放送番組作成サーバ２１上で、番組情報に付加された対象者情報を対象者コードにコード変換し、放送番組情報６０（図１０参照）として、放送局側システム３０に送信する。
【００２０】
住民カード編集サーバ２３は、住民カード編集端末２４から検索の要求を受けると、住民カード編集サーバ２３内の住民情報テーブル２３２４（図５参照）を検索し、検索結果を住民カード編集端末２４に返す。また、住民カード編集サーバ２３は、住民カード編集端末２４から書込みの要求を受けると、テーブル格納部２３２０（図５参照）のテーブルの情報を参照して、住民の属性コードを取得し、住民カード編集端末２４に返し、住民カードへの書き込みを行わせる。属性コードとは、住民の属性をコード化したものであり、ここでは、住民の住所コード、性別コード及び年齢コードのことである。
【００２１】
住民カード編集端末２４は、住民カード読取書込装置２５を介して住民カード情報を読み込み、読み込んだ住民カード情報をもとに、住民カード編集サーバ２３を介して検索し、検索結果を住民カード編集端末２４の画面などに出力する。また、住民カード編集端末２４は、住民カード編集者から住民情報の入力を受け付け、入力された住民情報に対応した属性コードを、住民カード編集サーバ２３を介して取得し、住民カード読取書込装置２５を介して住民カード（不図示）に記録する。
【００２２】
住民カード読取書込装置２５は、住民カード編集端末２４の要求に応じて、住民カード読取書込装置２５に挿入された住民カード（不図示）の情報を読み取る。また、住民カード読取書込装置２５は、住民カード編集端末２４の要求に応じて、住民カード（不図示）に住民の属性コードを書き込む。
【００２３】
放送局側システム３０は、放送局サーバ３１と、放送装置３２とを含んで構成される。
放送局サーバ３１は、自治体側システム２０から送信された放送番組情報を、放送局サーバ３１内の放送番組テーブル３１２１（図７参照）に保存する。また、放送局サーバ３１は、放送番組情報を放送番組テーブル３１２１（図７参照）から読み込み、放送用データ形式に変換し、放送装置３２を介して住民側システム４０に送信する。
放送装置３２は、放送局サーバ３１によって放送用データ形式に変換された放送番組情報を、住民側システム４０に送信する。
【００２４】
住民側システム４０は、受信装置４１と、表示装置４２と、住民カード読取書込装置４３とを含んで構成される。
【００２５】
受信装置４１は、放送局側システム３０から受信した放送番組情報（放送用データ）を受信装置４１内の受信番組テーブル４１２１（図８参照）に保存する。また、受信装置４１は、住民カード（不図示）に格納されている属性コードと、受信番組テーブル４１２１（図８参照）に保存された放送番組情報の対象者コードとを照合し、一致する場合に、受信番組テーブル４１２１（図８参照）に格納された放送番組情報を、表示装置４２を介して出力する。
【００２６】
受信装置４１としては、ハードディスク駆動装置を備えたディジタルテレビジョンや、ディジタル放送受信チューナーを備えたコンピュータ、保存機能を持たないディジタル放送受信チューナーやケーブルテレビチューナーと接続するテレビジョンやビデオ装置等があり、いずれも視聴者の属性を格納した記憶媒体であるＩＣカードや磁気カード、磁気またはＩＣメモリ等を読み取る機能を装置内または外部に接続して備える構成であればよい。また、受信装置４１はこれらに限定されず、同等の機能を備えた他の装置であってもよい。
【００２７】
表示装置４２は、受信装置４１から受け取った放送番組情報を画面に表示し、住民に放送番組を閲覧させる。
【００２８】
住民カード読取書込装置４３は、住民カード（不図示）から住民カード情報を読み取る。また、住民カード読取書込装置４３は、住民カード（不図示）に住民カード情報を書き込む機能は備えなくてもよい。
【００２９】
次に、図２を参照して、本発明の実施形態に係る事業主端末１１の構成について説明する。
【００３０】
事業主端末１１は、制御部１１００と、プログラム記憶部１１１０と、ネットワークインタフェース１１３０とを含んで構成される。制御部１１００は、プログラム記憶部１１１０及びネットワークインタフェース１１３０と接続されている。
【００３１】
制御部１１００は、プログラム記憶部１１１０内のプログラムを実行し、ネットワークインタフェース１１３０を介して情報の送受信を行う。ここで、制御部１１００は、例えば、プロセッサなどの制御装置と、ＲＡＭや、ＲＯＭなどのメモリとを含んで構成され、他の端末、サーバ、装置などにおいても同様である。
【００３２】
プログラム記憶部１１１０は、外部インタフェースプログラム１１１１を格納している。ここで、プログラム記憶部１１１０は、例えば、ハードディスク駆動装置などの記憶装置を含んで構成され、他の端末、サーバ、装置などにおいても同様である。
外部インタフェースプログラム１１１１は、事業主によって入力された対象者情報が付加された番組情報（コンテンツ情報）を、放送番組作成サーバ２１（図１参照）に送信する機能を有する。
ネットワークインタフェース１１３０は、情報の送受信を行う。
【００３３】
次に、図３を参照して、本発明の実施形態に係る放送番組作成サーバ２１の構成について説明する。
【００３４】
放送番組作成サーバ２１は、制御部２１００と、プログラム記憶部２１１０と、テーブル格納部２１２０と、ネットワークインタフェース２１３０とを含んで構成される。制御部２１００は、プログラム記憶部２１１０、テーブル格納部２１２０及びネットワークインタフェース２１３０と接続されている。
【００３５】
制御部２１００は、テーブル格納部２１２０内の各テーブルと連携して、プログラム記憶部２１１０内のプログラムを実行し、ネットワークインタフェース２１３０を介して情報の送受信を行う。
【００３６】
プログラム記憶部２１１０は、外部インタフェースプログラム２１１１と、番組データ作成プログラム２１１２と、情報コード変換プログラム２１１３と、番組編集プログラム２１１４とを格納している。
【００３７】
外部インタフェースプログラム２１１１は、事業主端末１１（図１参照）から送信された属性情報が付加された番組情報（コンテンツ情報）を受信し、放送番組テーブル２１２４に格納する機能を有する。また、対象者コードが付加された放送番組情報を放送局サーバ３１に送信する機能を有する。
【００３８】
番組データ作成プログラム２１１２は、事業主端末１１から送信された対象者情報が付加された番組情報をもとに放送番組を作成し、放送番組テーブル２１２４に格納する機能を有する。
【００３９】
情報コード変換プログラム２１１３は、番組情報に付加された視聴対象者の住所、性別及び生年月日をそれぞれコード化する機能を有する。コード変換は、ここでは、文字列の対象者情報を自治体側システム２０仕様の対象者コードに変換することを意味する。また、コード化する際には、住所コードテーブル２１２１、性別コードテーブル２１２２及び年齢コードテーブル２１２３が参照される。
【００４０】
番組編集プログラム２１１４は、放送番組作成端末２２（図１参照）に番組の編集を行わせる機能を有する。
【００４１】
テーブル格納部２１２０は、住所コードテーブル２１２１と、性別コードテーブル２１２２と、年齢コードテーブル２１２３と、放送番組テーブル２１２４とを格納している。ここで、テーブル格納部２１２０は、例えば、ハードディスク駆動装置などの記憶装置を含んで構成され、他の端末、サーバ、装置などにおいても同様である。
住所コードテーブル２１２１は、視聴対象者の住所と住所コードとの対応表を格納したテーブルである。
性別コードテーブル２１２２は、視聴対象者の性別と性別コードとの対応表を格納したテーブルである。
年齢コードテーブル２１２３は、視聴対象者の年齢と年齢コードとの対応表を格納したテーブルである。
放送番組テーブル２１２４は、事業主端末１１（図１参照）から送信された属性情報が付加された番組情報（コンテンツ情報）を格納するテーブルである。
ネットワークインタフェース２１３０は、情報の送受信を行う。
【００４２】
次に、図４を参照して、本発明の実施形態に係る放送番組作成端末２２の構成について説明する。
【００４３】
放送番組作成端末２２は、制御部２２００と、プログラム記憶部２２１０と、ネットワークインタフェース２２３０とを含んで構成される。制御部２２００は、プログラム記憶部２２１０及びネットワークインタフェース２２３０と接続されている。
【００４４】
制御部２２００は、プログラム記憶部２２１０内のプログラムを実行し、ネットワークインタフェース２２３０を介して情報の送受信を行う。
【００４５】
プログラム記憶部２２１０は、外部インタフェースプログラム２２１１を格納している。
外部インタフェースプログラム２２１１は、番組を編集するために放送番組作成サーバ２１（図１参照）に接続し、データの送受信を行う機能を有する。
ネットワークインタフェース２２３０は、情報の送受信を行う。
【００４６】
次に、図５を参照して、本発明の実施形態に係る住民カード編集サーバ２３の構成について説明する。
【００４７】
住民カード編集サーバ２３は、制御部２３００と、プログラム記憶部２３１０と、テーブル格納部２３２０と、ネットワークインタフェース２３３０とを含んで構成される。制御部２３００は、プログラム記憶部２３１０、テーブル格納部２３２０及びネットワークインタフェース２３３０と接続されている。
【００４８】
制御部２３００は、テーブル格納部２３２０内のテーブルと連携して、プログラム記憶部２３１０内のプログラムを実行し、ネットワークインタフェース２３３０を介して情報の送受信を行う。
【００４９】
プログラム記憶部２３１０は、カードインタフェースプログラム２３１１と、カード情報書込プログラム２３１２と、情報検索プログラム２３１３と、カード情報編集プログラム２３１４とを格納している。
【００５０】
カードインタフェースプログラム２３１１は、住民カードから情報を読み取る機能、又は住民カードへ情報を記録する機能を有する。
【００５１】
カード情報書込プログラム２３１２は、住民カード編集者から入力された住民情報をもとに、情報検索プログラム２３１３を用いて、属性コードを取得し、カードインタフェースプログラム２３１１を用いて、住民カードへ情報を記録する機能を有する。
【００５２】
情報検索プログラム２３１３は、住民カード編集者から入力された住民情報をもとに、属性コードを検索する機能を有する。
【００５３】
カード情報編集プログラム２３１４は、住民カード編集者に住民カードの編集をさせる機能を有する。
【００５４】
テーブル格納部２３２０は、住所コードテーブル２３２１と、性別コードテーブル２３２２と、年齢コードテーブル２３２３と、住民情報テーブル２３２４とを格納している。
住所コードテーブル２３２１は、視聴対象者の住所と住所コードとの対応表を格納したテーブルである。
性別コードテーブル２３２２は、視聴対象者の性別と性別コードとの対応表を格納したテーブルである。
年齢コードテーブル２３２３は、視聴対象者の年齢と年齢コードとの対応表を格納したテーブルである。
住民情報テーブル２３２４は、住民情報を格納したテーブルである。
【００５５】
次に、図６を参照して、本発明の実施形態に係る住民カード編集端末２４の構成について説明する。
【００５６】
住民カード編集端末２４は、制御部２４００と、プログラム記憶部２４１０と、ネットワークインタフェース２４３０と、カードリーダインタフェース２４４０とを含んで構成される。制御部２４００は、プログラム記憶部２４１０、ネットワークインタフェース２４３０及びカードリーダインタフェース２４４０と接続されている。
【００５７】
制御部２４００は、プログラム記憶部２４１０内のプログラムを実行し、ネットワークインタフェース２４３０を介して情報の送受信を行う。また、カードリーダインタフェース２４４０を介して住民カード読取書込装置２５（図１参照）と住民カード情報の送受信を行う。
【００５８】
プログラム記憶部２４１０は、カード情報読取プログラム２４１１と、カード情報書込プログラム２４１２とを格納している。
カード情報読取プログラム２４１１は、住民カード読取書込装置２５を介して住民カード情報を読み込む機能を有する。
カード情報書込プログラム２４１２は、住民カード読取書込装置２５を介して住民カードに記録する機能を有する。
ネットワークインタフェース２４３０は、情報の送受信を行う。
カードリーダインタフェース２４４０は、住民カード読取書込装置２５（図１参照）と住民カード情報の送受信を行う。
【００５９】
次に、図７を参照して、本発明の実施形態に係る放送局サーバ３１の構成について説明する。
【００６０】
放送局サーバ３１は、制御部３１００と、プログラム記憶部３１１０と、テーブル格納部３１２０と、ネットワークインタフェース３１３０とを含んで構成される。制御部３１００は、プログラム記憶部３１１０、テーブル格納部３１２０及びネットワークインタフェース３１３０と接続されている。
【００６１】
制御部３１００は、テーブル格納部２１２０内のテーブルと連携して、プログラム記憶部３１１０内のプログラムを実行し、ネットワークインタフェース３１３０を介して情報の送受信を行う。
【００６２】
プログラム記憶部３１１０は、外部インタフェースプログラム３１１１と、データ変換プログラム３１１２と、放送装置転送プログラム３１１３とを格納している。
外部インタフェースプログラム３１１１は、放送番組作成サーバ２１（図１参照）から送信された対象者コードが付加された番組情報を受信する機能を有する。
データ変換プログラム３１１２は、番組情報を放送用データに変換する機能を有する。
放送装置転送プログラム３１１３は、放送用データに変換された番組情報を放送装置に転送し、放送させる機能を有する。
【００６３】
テーブル格納部３１２０は、放送番組テーブル３１２１を格納している。
放送番組テーブル３１２１は、放送番組作成サーバ２１（図１参照）から送信された対象者コードが付加された番組情報を格納するテーブルである。
ネットワークインタフェース３１３０は、情報の送受信を行う。
【００６４】
次に、図８を参照して、本発明の実施形態に係る受信装置４１の構成について説明する。
【００６５】
受信装置４１は、制御部４１００と、プログラム記憶部４１１０と、テーブル格納部４１２０と、ネットワークインタフェース４１３０と、カードリーダインタフェース４１４０とを含んで構成される。制御部４１００は、プログラム記憶部４１１０、テーブル格納部４１２０、ネットワークインタフェース４１３０及びカードリーダインタフェース２４４０と接続されている。
【００６６】
制御部４１００は、テーブル格納部４１２０内のテーブルと連携して、プログラム記憶部４１１０内のプログラムを実行し、ネットワークインタフェース４１３０を介して情報の送受信を行う。また、カードリーダインタフェース４１４０を介して住民カード読取書込装置２５（図１参照）と住民カード情報の送受信を行う。
【００６７】
プログラム記憶部４１１０は、放送受信プログラム４１１１と、カード情報読取プログラム４１１２と、マッチングプログラム４１１３と、表示装置制御プログラム４１１４とを格納している。
【００６８】
放送受信プログラム４１１１は、放送装置３２が放送した放送番組情報を受信し、受信番組テーブル４１２１に格納する機能を有する。制御部４１００は、この放送受信プログラム４１１１を実行することによって放送受信手段を実現する。
【００６９】
カード情報読取プログラム４１１２は、住民カード読取書込装置４３を介して、住民カード情報を読み込む機能を有する。制御部４１００は、このカード情報読取プログラム４１１２を実行することによって情報読取手段を実現する。
【００７０】
マッチングプログラム４１１３は、受信番組テーブル４１２１に格納された放送番組情報に付加された対象者コードと、住民カードから読み取った属性コードとをマッチングする機能を有する。制御部４１００は、このマッチングプログラム４１１３を実行することによってマッチング手段を実現する。
【００７１】
表示装置制御プログラム４１１４は、表示装置４２を介して、放送番組情報を出力する機能を有する。制御部４１００は、この表示装置制御プログラム４１１４を実行することによって表示装置制御手段を実現する。
【００７２】
テーブル格納部４１２０は、受信番組テーブル４１２１を格納している。
ネットワークインタフェース４１３０は、情報の送受信を行う。
カードリーダインタフェース４１４０は、住民カード読取書込装置２５（図１参照）と住民カード情報の送受信を行う。
【００７３】
次に、図９を参照して、本発明の実施形態に係る住民カード（不図示）に格納される情報のデータ構成について説明する。
【００７４】
図９に示すように、ここでは、住民カード情報５０は、住民ＩＤ５１、属性コード１（性別コード５２）、属性コード２（年齢コード５３）、属性コード３（住所コード５４）、及び住民が閲覧を希望する番組の分野をコード化した閲覧希望情報分野コード５５（閲覧希望情報分野コード１，閲覧希望情報分野コード２，…）などを含むものとする。なお、住民ＩＤ５１は、住民の識別情報として用いることが可能である。
【００７５】
次に、図１０を参照して、本発明の実施形態に係る放送番組情報のデータ構成について説明する。
【００７６】
図１０に示すように、ここでは、放送番組情報６０は、視聴者情報を表すヘッダ情報６１と番組情報を表すコンテンツ情報６２とを含むものとする。
【００７７】
ヘッダ情報６１は、番組ＩＤ６１ａや、対象者コード１（性別コード６１ｂ）、対象者コード２（年齢コード６１ｃ）、対象者コード３（住所コード６１ｄ）、情報分野コード６１ｅ、情報作成年月日６１ｆ、情報有効年月日６１ｇなどを含む。
コンテンツ情報６２は、番組情報６２ａなどを含む。
【００７８】
次に、図１１を参照（適宜図１参照）して、本発明の実施形態に係る視聴者限定システム１の処理の流れについて説明する。
【００７９】
まず、事業主端末１１は、事業主によって作成された番組情報に、事業主によって入力された対象者情報（ここでは、住所、性別及び生年月日）を付加し（Ｓ１０１）、対象者情報が付加された番組情報として放送番組作成サーバ２１に送信する（Ｓ１０２）。
放送番組作成サーバ２１は、事業主端末１１から送信された対象者情報が付加された番組情報を受信する（Ｓ１０３）。続いて、放送番組作成サーバ２１は、受信した番組情報に付加された対象者情報を対象者コード（ここでは、住所コード、性別コード及び年齢コード）にコード化する（Ｓ１０４）。さらに、放送番組作成サーバ２１は、対象者コードが付加された放送番組情報を放送局サーバ３１に送信する（Ｓ１０５）。
放送局サーバ３１は、放送番組作成サーバ２１から送信された対象者コードが付加された放送番組情報を受信する（Ｓ１０６）。放送局サーバ３１は、受信した放送番組情報を放送用データに変換する（Ｓ１０７）。続いて、放送局サーバ３１は、放送装置３２を介して、対象者コードが付加された放送番組情報（放送用データ）を受信装置４１に送信する（Ｓ１０８）。
【００８０】
受信装置４１は、放送局サーバ３１によって放送された放送番組情報（放送用データ）を受信する（Ｓ１０９）。続いて、受信装置４１は、受信した放送番組情報を受信番組テーブル４１２１（図８参照）に格納する（Ｓ１１０）。続いて、住民は、住民カードを住民カード読取書込装置４３に挿入する（Ｓ１１１）。受信装置４１は、住民カード読取書込装置４３を介して、住民カードの属性コード（ここでは、住所コード、性別コード及び年齢コード）を読み取る（Ｓ１１２）。また、受信装置４１は、受信番組テーブル４１２１（図８参照）に格納された番組情報に付加された対象者コードと、住民カードから読み取った属性コードとをマッチングする（Ｓ１１３）。さらに、受信装置４１は、マッチした放送番組情報を、表示装置４２を介して出力する（Ｓ１１４）。
【００８１】
次に、図１２を参照（適宜図１参照）して、本発明の実施形態に係る住民カードを自治体側システム２０が発行する処理の流れについて説明する。
【００８２】
視聴者の申請を受けると、住民カード編集端末２４のオペレータが、住民カード読取書込装置２５に住民カードを挿入する。住民カード編集端末２４は、住民カード読取書込装置２５を介して住民カードの識別情報を読み取り（Ｓ２０１）、識別情報を住民カード編集サーバ２３に送信する（Ｓ２０２）。住民カード編集サーバ２３は、識別情報を受信し（Ｓ２０３）、住民情報テーブル２１７から該当する住民を選択し、該当住民の住民情報（ここでは、住所、性別及び生年月日）を抽出する（Ｓ２０４）。次に、住民カード編集サーバ２３は、抽出された住民情報を、属性コードにコード化する（Ｓ２０５）。住民カード編集サーバ２３は、属性コードを書込情報形式に変換し、住民カード編集端末２４に送信する（Ｓ２０６）。住民カード編集端末２４は、属性コードを受信し（Ｓ２０７）、住民カード読取書込装置２５を介して属性コードを住民カードに書き込む（Ｓ２０８）。
【００８３】
図１２の説明においては、事業主が事業主端末２２を用いて、放送番組を作成することとしたが、自治体側システム２０の放送番組作成端末２２が独自に広報などを番組として作成し、放送することも可能である。
【００８４】
本実施形態では、自治体側システム２０において、番組情報に付加された対象者情報をコード化することとした。この場合、例えば、放送局サーバ３１が、対象者情報と対象者コードとの対応表を備える構成とし、対応表の新規設定や変更の際には、視聴者側の受信装置に配信するか、または視聴者がアクセスできる手段を設けるようにすればよい。また、対象者情報と、住民カードの属性情報とをコード化せず、そのまま照合に使用することも可能である。
【００８５】
本実施形態では、視聴者を限定する情報と視聴者の属性情報との照合処理を、住所コード、性別コード及び年齢コードのマッチング処理によって行うこととしたが、例えば、住所コード、性別コード及び年齢コードが一致し、さらに、視聴者の属性情報の閲覧希望情報分野コードに適合する情報分野コードが含まれる番組を表示するようにしてもよい。照合条件は、コードの完全一致であっても、視聴者対象を限定する情報に幅を持たせ、視聴者の属性情報がその範囲内に収まった場合に適合したと判断してもよい。番組への視聴者を限定する情報の付加は、番組制作元で実施しても、中継する機関や最終配信元で実施してもよい。また、視聴者側でも受信装置に視聴者情報を付加及び変更する機能をもたせるようにしてもよい。
【００８６】
本実施形態では、属性情報をコード化して住民カードに格納することとしたが、住民カードには属性情報を格納しておき、住民カード又は受信装置に変換表を持たせて、受信装置で属性情報をコード化して、照合処理を行うようにしても良い。
【００８７】
また、本実施形態で説明したように、記憶媒体として、市区町村役所又は自治体などの公共機関で発行する住民カードのような媒体を利用するのが好ましい。この住民カードには少なくとも氏名、住所、年齢及び性別などという個人の情報が格納されているので、これらの情報と視聴者を限定する情報との対応表を設けて利用することが可能である。また、記憶媒体として特別な媒体を放送配信側が用意する必要がないため、本発明の視聴者限定システムを広く普及させることが容易である。さらに、自治体が放送番組の配信中継に参加し、番組に付加する属性情報を自治体で設定することで、自治体が発信する情報と地域の住民又は事業主が発信する情報とを合わせてテレビ放送することが可能となる。これによって、特に放送番組に挿入する広告において、広域への宣伝が必要のない事業主、又は地域や年齢層などを絞って宣伝したい事業主にとっては、対象者を限定でき、効率的な宣伝活動又は広報活動を行うことが可能となる。また、自治体発行の広報誌や自治体ホームページに記載されている情報を、対象者を限定して提供することが可能となり、きめ細かい効果的な住民サービスが可能となる。しかし、記憶媒体は住民カードに限定されるものではなく、視聴者の情報を記憶できる媒体であればよい。
【００８８】
本実施形態においては、住民が放送番組を視聴する際に、住民カードを住民カード読取書込装置４３に挿入し、受信番組テーブル４１２１に格納されている放送番組を読み込み、属性が適合した場合に、放送番組を表示することとしたが、住民がリアルタイムで放送番組を視聴する場合は、受信装置４１の放送受信プログラム４１１１が放送番組を受信した後、住民カードからの情報の読み取り及び照合処理を行い、属性が適合した場合に、放送番組を受信番組テーブル４１２１に格納せず、表示装置４２に出力するようにしてもよい。また、どちらかの方法を選択することが可能な構成にしてもよい。
【００８９】
また、住民カード読取書込装置４３が住民カードを検出できない場合に照合処理を省略する初期設定を行うことによって、無条件に番組を保存するようにしてもよい。また、無条件に番組を保存拒否するようにしてもよい。さらに、番組を保存するか否かを選択することが可能な構成にしてもよい。
【図面の簡単な説明】
【００９０】
【図１】視聴者限定システムのブロック図である。
【図２】図１の事業主端末のブロック図である。
【図３】図１の放送番組作成サーバのブロック図である。
【図４】図１の放送番組作成端末のブロック図である。
【図５】図１の住民カード編集サーバのブロック図である。
【図６】図１の住民カード編集端末のブロック図である。
【図７】図１の放送局サーバのブロック図である。
【図８】図１の受信装置のブロック図である。
【図９】住民カードに格納される情報の構成図である。
【図１０】放送番組情報の構成図である。
【図１１】視聴者限定システムの処理を表すフローチャートである。
【図１２】住民カードを自治体側システムが発行する処理を表すフローチャートである。
【符号の説明】
【００９１】
１      視聴者限定システム
４０    住民側システム（番組視聴システム）
４１    受信装置
４２    表示装置
４３    住民カード読取書込装置
５０    住民カード情報
６０    放送番組情報
４１００  制御部
４１１０  プログラム記憶部
４１１１  放送受信プログラム
４１１２  カード情報読込プログラム
４１１３  マッチングプログラム
４１１４  表示装置制御プログラム
４１２０  テーブル格納部
４１２１  受信番組テーブル
【図１】
2007006297.tif 000003
【図２】
2007006297.tif 000004
【図３】
2007006297.tif 000005
【図４】
2007006297.tif 000006
【図５】
2007006297.tif 000007
【図６】
2007006297.tif 000008
【図７】
2007006297.tif 000009
【図８】
2007006297.tif 000010
【図９】
2007006297.tif 000011
【図１０】
2007006297.tif 000012
【図１１】
2007006297.tif 000013
【図１２】
2007006297.tif 000014